(57)【要約】【課題】  階間部における断熱が充分になされて鋼製の胴差に結露を生じさせるおそれがなく、しかも施工も簡素化されてなる階間構造を提供する。【解決手段】  本発明の階間構造Ｋは、鋼製の胴差Ｄと該胴差Ｄの断熱をなす断熱材１とを備えてなる階間構造Ｋであって、前記断熱材１は、前記胴差Ｄの下部の断熱をなす下部分割体１０と、前記胴差Ｄの上部の断熱をなす上部分割体２０とからなり、下部分割体１０は、外壁パネルＰＬ側からウェブＷに向けて迫り上がる凹曲面とされた載置面１４ｃを有し、上部分割体２０は、前記凹曲面とマッチングする凸曲面とされた下面２３を有してなるものである。【選択図】  図１
2005105597.tif 000002
【特許請求の範囲】
【請求項１】
鋼製の胴差と該胴差の断熱をなす断熱材とを備えてなる階間構造であって、
前記断熱材は、前記胴差の下部の断熱をなす下部分割体と、前記胴差の上部の断熱をなす上部分割体とからなることを特徴とする階間構造。
【請求項２】
下部分割体は、外壁パネル側からウェブに向けて迫り上がる凹曲面とされた載置面を有し、
上部分割体は、前記凹曲面とマッチングする凸曲面とされた下面を有してなることを特徴とする請求項１記載の階間構造。
【請求項３】
下部分割体は、上分割体の外面下端部と当接する垂直面を有してなることを特徴とする請求項２記載の階間構造。
【請求項４】
上部分割体の下面にさねが形成され、下部分割体に前記さねが嵌合される小穴が形成されてなることを特徴とする請求項２記載の階間構造。
【請求項５】
下部分割体および上部分割体に、胴差に設けられたリブを収納する切り込みが設けられてなることを特徴とする請求項１記載の階間構造。
【請求項６】
断熱材が発泡系ボードからなる断熱材とされてなることを特徴とする請求項１記載の階間構造。
【発明の詳細な説明】
【技術分野】
【０００１】
本発明は階間構造に関する。さらに詳しくは、断熱性能が向上されてなる階間構造に関する。
【背景技術】
【０００２】
図９に、従来の住宅の上階と下階のと間の部分、例えば二階と一階との間の部分いわゆる階間部Ｓを断面で示す。
【０００３】
図９に示すように、下階の外壁パネルＰＬ上端は胴差Ｄを構成しているＨ型鋼の下フランジＦＬより所定距離上方に位置させられる一方、上階の外壁パネルＰＵ下端は胴差Ｄを構成しているＨ型鋼の上フランジＦＵより所定距離下方に位置させられている。すなわち、胴差Ｄを構成しているＨ型鋼のウェブＷの下側および上側の部分は、それぞれ突出している外壁パネルＰＬ上端および外壁パネルＰＵ下端の背面に位置することになる。
【０００４】
そのため、従来、発泡系ボード断熱材（以下、単に断熱材という）１’を用いた階間部の断熱においては、図９に示すように、断熱材１’の高さ寸法を下階の外壁パネルＰＬ上端と上階の外壁パネルＰＵ下端とにより形成される開口幅に調整し、また厚みを断熱材１’をウェブＷに当接させた状態で外面が外壁パネルＰ外面と面一となるように調整し、そしてそのように調整された断熱材１’を前記開口に埋め込み、その埋め込まれた断熱材１’の上端部および下端部を、それぞれ上階の外壁パネルＰＵ下端部および下階の外壁パネルＰＬ上端部に粘着テープａにより固定することがなされている。
【０００５】
しかしながら、かかる断熱構造とした場合は、ウェブＷの上側および下側の部分は断熱がなされなず、それがためウェブＷやフランジＦに結露を生じさせる要因となっているという問題がある。また、相当の長さの粘着テープを貼り付ける作業が必要となるため、施工が煩雑となって施工期間を長期化させる要因となっているという問題もある。さらに、粘着テープａを用いることによる材料費および施工コストの増大を招来しているという問題もある。
【発明の開示】
【発明が解決しようとする課題】
【０００６】
本発明はかかる従来技術の課題に鑑みなされたものであって、階間部における断熱が充分になされて鋼製の胴差に結露を生じさせるおそれがなく、しかも施工も簡素化されてなる階間構造を提供することを目的としている。
【課題を解決するための手段】
【０００７】
本発明の階間構造は、鋼製の胴差と該胴差の断熱をなす断熱材とを備えてなる階間構造であって、前記断熱材は、前記胴差の下部の断熱をなす下部分割体と、前記胴差の上部の断熱をなす上部分割体とからなることを特徴とする。
【０００８】
本発明の階間構造においては、下部分割体は、外壁パネル側からウェブに向けて迫り上がる凹曲面とされた載置面を有し、上部分割体は、前記凹曲面とマッチングする凸曲面とされた下面を有してなるのが好ましい。
【０００９】
また、本発明の階間構造においては、下部分割体は、上分割体の外面下端部と当接する垂直面を有してなるのが好ましい。
【００１０】
さらに、本発明の階間構造においては、上部分割体の下面にさねが形成され、下部分割体に前記さねが嵌合される小穴が形成されてなるのが好ましい。
【００１１】
さらに、本発明の階間構造においては、下部分割体および上部分割体に、胴差に設けられたリブを収納する切り込みが設けられてなるのが好ましい。
【００１２】
ここで、断熱材は例えば発泡系ボードからなる断熱材とされる。
【発明の効果】
【００１３】
本発明の階間構造によれば、鋼製の胴差の断熱がほぼ完全になされるので、階間部における結露を防止できる。
【００１４】
また、断熱材が下部分割体および上部分割体から構成されているので、階間部に下部分割体および上部分割体を順次取り込むという簡単な作業により断熱がなされる。そのため、施工性がよく施工期間が短縮される。
【発明を実施するための最良の形態】
【００１５】
以下、添付図面を参照しながら本発明を実施例に基づいて説明するが、本発明はかかる実施例のみに限定されるものではない。
【実施例１】
【００１６】
図１に、本発明の実施例１に係る階間構造を断面図で示す。
【００１７】
階間構造Ｋは、図１に示すように、胴差Ｄを構成しているＨ型鋼の上フランジＦＵ、ウェブＷおよび下フランジＦＬと、上階の外壁パネルＰＵの上フランジＦＵから下方に突出している下端部と、下階の外壁パネルＰＬの下フランジＦＬから上方に突出している上端部とにより形成される空間、つまり階間部Ｓに発泡系ボード断熱材１を配設してなるものとされる。
【００１８】
断熱材１は、図２に示すように、胴差Ｄを構成しているＨ型鋼の下部を断熱する下部分割体１０と、胴差Ｄを構成しているＨ型鋼の上部を断熱する上部分割体２０とからなるものとされる。
【００１９】
下部分割体１０は、ウェブＷに面する面（以下、内面という）１１と、下フランジＦＬに面する面（以下、下面という）１２と、下階の外壁パネルＰＬ上端部に側の面（以下、外面という）１３と、上部分割体２０側の面（以下、上面という）１４とにより画成されるブロック状体とされる。
【００２０】
内面１１は上端がウェブＷのほぼ中央に位置するようその高さが調整され、下面１２はウェブＷと下階の外壁パネルＰＬとの間に収まるようその幅が調整されている。
【００２１】
外面１３は、図２に示すように、下階の外壁パネルＰＬ内面に面する第１垂直面１３ａと、第１垂直面１３ａ上端から水平方向に下階の外壁パネルＰＬ上端のほぼ中央部まで延伸された水平面１３ｂと、水平面１３ｂ先端から所定高さとされた第２垂直面１３ｃとを含むものとされる。ここで、第２垂直面１３ｃの高さは上部分割体２０の空間Ｓ内、つまり階間部Ｓへの取り込みに支障のないように調整されている。
【００２２】
上面１４は、図２に示すように、第２垂直面１３ｃ上端から下階の外壁パネルＰＬ内面位置まで水平に延伸された第１水平面１４ａと、第１水平面１４ａ先端から所定長さで垂下された第１垂直面１４ｂと、第１垂直面１４ｂ下端から内面上端まで凹状の円弧面（または放物面）とされた載置面１４ｃとを含むものとされる。つまり、載置面１４ｃは外壁パネルＰＬからウェブＷに向けて迫り上がる凹曲面とされる。なお、載置面１４ｃは上部分割体２０の空間Ｓ内での転回が円滑になし得る曲面とされればよく、円弧面や放物面に限定されるものではない。
【００２３】
上部分割体２０は、上フランジＦＵに面する面（以下、上面という）２１と、ウェブＷに面する面（以下、内面という）２２と、載置面１４ｃに面する面（以下、下面という）２３と、上階の外壁パネルＰＵ下端側の面（以下、外面という）２４とにより画成されるブロック状体とされる。
【００２４】
上面２１はウェブＷと上階の外壁パネルＰＵとの間に収まるようその幅が調整され、内面２２は上部分割体２０が空間Ｓ内に配設された状態でその下端が下部分割体１０の内面１１上端に当接またはほぼ当接するようその高さ寸法が調整されている（図１参照）。
【００２５】
下面２３は、下部分割体１０の載置面１４ｃとマッチングするようにされた凸状の円弧面または放物面とされ、また外面２４は上部分割体２０が空間Ｓ内に配設された状態でその下端が載置面１４ｃ基端に当接またはほぼ当接するようその高さ寸法が調整されている。外面２４の高さ寸法がこのように調整されていることにより、上部分割体２０が空間Ｓ内に配設された状態で外面２４下端部が下部分割体１０の第１垂直面１４ｂと当接して上部分割体２０が載置面１４ｃから滑り落ちるのが防止される。つまり、下部分割体１０の第１垂直面１４ｂはストッパーとして機能するものとされる。
【００２６】
この場合、図３に示すように、上部分割体２０の下面２３先端部にさね２５を形成する一方、下部分割体１０の載置面１４ｃに前記さね２５に対応させた小穴１５を形成し、つまりさねはぎ構造を設けることにより、上部分割体２０が載置面１４ｃから滑り落ちるのが確実に防止される。
【００２７】
次に、図４〜図６を参照しながら、かかる構成とされた階間構造Ｋの施工について説明する。
【００２８】
（１）空間Ｓに下部分割体１０を取り込み、下面１２を胴差Ｄを構成しているＨ型鋼の下フランジＦＬに載置し、外面１３の水平面１３ｂを下階の外壁パネルＰＬ上端に載置する（図４参照）。
【００２９】
（２）上階の外壁パネルＰＵ下端と下部分割体１０の上面１４とにより形成される開口より空間Ｓに上部分割体２０を斜めにした状態で取り込む（図５参照）。          
【００３０】
（３）空間Ｓに取り込まれた上部分割体２０を徐々に起立させながら、下面２３を載置面１４ｃに載置させる（図６参照）。
【００３１】
以下、化粧胴差などの仕上げ施工がなされて階間構造Ｋの施工が完成する。
【００３２】
このように、実施例１の階間構造Ｋによれば、発泡系ボード断熱材１を用いても胴差Ｄを構成しているＨ型鋼の断熱がほぼ完全になされるので、階間部Ｓにおける結露を防止できる。また、階間部Ｓの断熱が、下部分割体１０および上部分割体２０を順次階間部Ｓ内に取り込むという簡単な作業によりなされるので、施工性がよく施工期間の短縮が図られる。そのため、コストの低減も図られる。
【実施例２】
【００３３】
本発明の実施例２の階間構造Ｋ１を図７に示す。
【００３４】
この実施例２は実施例１を改変してなるものであって、胴差Ｄを構成しているＨ型鋼に補強リブＲが設けられてなる場合に適用できるようにしてなるものとされる。なお、その余の構成は実施例１と同様とされている。
【００３５】
断熱材１Ａは、図８に示すように、補強リブＲに対応させて下部分割体１０および上部分割体２０に、補強リブＲを収納するスリット（切り込み）１８，２８が設けられてなるものとされる。
【００３６】
このように、実施例２においては、下部分割体１０および上部分割体２０にスリット１８，２８が設けられているので、胴差Ｄを構成しているＨ型鋼に補強リブＲが設けられていても施工性を損なうことがない。
【００３７】
以上、本発明を実施例に基づいて説明してきたが、本発明はかかる実施例のみに限定されるものではなく、種々改変が可能である。例えば、実施例では胴差ＤはＨ型鋼とされているが、本発明の適用は胴差Ｄが溝型鋼とされている場合にも適用できる。
【産業上の利用可能性】
【００３８】
本発明は断熱が必要とされる階間部の断熱性能を向上できる。
【図面の簡単な説明】
【００３９】
【図１】本発明の実施例１に係る階間構造の断面図である。
【図２】断熱材を分解して示す端面図である。
【図３】さねはぎ構造とされた断熱材の要部断面図である。
【図４】実施例１の階間構造の施工説明図であって、下部分割体を階間部に配設した状態を示す。
【図５】同施工説明図であって、上部分割体を階間部に取り込んでいる状態を示す。
【図６】同施工説明図であって、上部分割体を階間部に配設した状態を示す。
【図７】本発明の実施例２に係る階間構造の断面図である。
【図８】同実施例の断熱材を示す図であって、同（ａ）は上部分割体側面の断面図を示し、同（ｂ）は上部分割体の部分正面図を示し、同（ｃ）は下部分割体側面の断面図を示し、同（ｂ）は下部分割体の部分正面図を示す。
【図９】従来の階間構造の断面図である。
【符号の説明】
【００４０】
１        断熱材
１０        下部分割体
１１        内面
１２        下面
１３        外面
１４        上面
１４ｃ      載置面
１５        小穴
１８        スリット
２０        上部分割体
２１        上面
２２        内面
２３        下面
２４        外面
２５        さね
２８        スリット
Ｋ        階間構造
Ｄ        胴差
Ｆ        フランジ
ＦＵ      上フランジ
ＦＬ      下フランジ
Ｗ        ウェブ
Ｐ        外壁パネル
ＰＵ      上階の外壁パネル
ＰＬ      下階の外壁パネル
Ｓ        空間、階間部
【図１】
2005105597.tif 000003
【図２】
2005105597.tif 000004
【図３】
2005105597.tif 000005
【図４】
2005105597.tif 000006
【図５】
2005105597.tif 000007
【図６】
2005105597.tif 000008
【図７】
2005105597.tif 000009
【図８】
2005105597.tif 000010
【図９】
2005105597.tif 000011